(57)【要約】      （修正有）【課題】円弧状スリットの延設方向に沿って磁束が流れ易い突極方向と、円弧状スリットの並設方向に沿って磁束が流れ難い非突極方向とのインダクタンスの差に基づいて生じるリラクタンストルクにより回転するリラクタンスモータ用回転子積層鉄心を対象とし、機械的強度が高く高速回転に十分適用でき、併せて磁束漏れが少なくてモータ特性に優れた、リラクタンスモータ用回転子積層鉄心を提供する。【解決手段】リラクタンスモータ用回転子積層鉄心１０は、鉄心片１１に円弧状スリット１１ｓを分断するリブ１１ｂを形成し、該リブにカシメ部１１ｃを形成することによって、鉄心片をカシメ積層して成る。また、リラクタンスモータ用回転子積層鉄心は、鉄心片に円弧状スリットを分断するリブを形成するとともに該リブに連結孔を形成し、非磁性体から成る連結体を連結孔に挿入または注入することによって、積層された鉄心片を一体化して成る。【選択図】図２
2009011118.tif 000002
【特許請求の範囲】
【請求項１】
回転軸孔側を凸とした複数の円弧状スリットを同心状に形成するとともに、前記複数の円弧状スリットを前記回転軸孔の周囲に間隔をおいて形成した鉄心片を積層して成り、前記円弧状スリットの延設方向に沿って磁束が流れ易い突極方向と、前記円弧状スリットの並設方向に沿って磁束が流れ難い非突極方向とのインダクタンスの差に基づいて生じるリラクタンストルクにより回転するリラクタンスモータ用回転子積層鉄心において、
前記鉄心片に前記円弧状スリットを分断するリブを形成するとともに該リブにカシメ部を形成し、前記鉄心片をカシメ積層して成ることを特徴とするリラクタンスモータ用回転子積層鉄心。
【請求項２】
円弧状スリットを分断するリブは、同心状に形成された複数の円弧状スリットのうち、回転軸孔に寄った円弧状スリットを分断して形成されていることを特徴とする請求項１記載のリラクタンスモータ用回転子積層鉄心。
【請求項３】
円弧状スリットを分断するリブは、同心状に形成された複数の円弧状スリットのうち、回転軸孔に寄った円弧状スリットの複数箇所を分断して形成されていることを特徴とする請求項２記載のリラクタンスモータ用回転子積層鉄心。
【請求項４】
回転軸孔側を凸とした複数の円弧状スリットを同心状に形成するとともに、前記複数の円弧状スリットを前記回転軸孔の周囲に間隔をおいて形成した鉄心片を積層して成り、前記円弧状スリットの延設方向に沿って磁束が流れ易い突極方向と、前記円弧状スリットの並設方向に沿って磁束が流れ難い非突極方向とのインダクタンスの差に基づいて生じるリラクタンストルクにより回転するリラクタンスモータ用回転子積層鉄心において、
前記鉄心片に前記円弧状スリットを分断するリブを形成するとともに該リブに連結孔を形成し、非磁性体から成る連結体を前記連結孔に挿入または注入して、積層された前記鉄心片を一体化して成ることを特徴とするリラクタンスモータ用回転子積層鉄心。
【請求項５】
円弧状スリットを分断するリブは、同心状に形成された複数の円弧状スリットのうち、回転軸孔に寄った円弧状スリットを分断して形成されていることを特徴とする請求項４記載のリラクタンスモータ用回転子積層鉄心。
【請求項６】
円弧状スリットを分断するリブは、同心状に形成された複数の円弧状スリットのうち、回転軸孔に寄った円弧状スリットの複数箇所を分断して形成されていることを特徴とする請求項５記載のリラクタンスモータ用回転子積層鉄心。
【発明の詳細な説明】
【技術分野】
【０００１】
本発明は、リラクタンスモータ用回転子積層鉄心に関し、詳しくは、回転軸孔側を凸とした複数の円弧状スリットを同心状に形成するとともに、複数の円弧状スリットを前記回転軸孔の周囲に間隔をおいて形成した鉄心片を積層して成る、リラクタンスモータ用回転子積層鉄心の細部構造に関するものである。
【背景技術】
【０００２】
例えば、各種工作機械や自動車等に搭載される駆動電動機としては、耐久性の向上や大出力化の要求から、従来のブラシ付きモータからブラシレスモータへの置き換えが進んでおり、上記ブラシレスモータの一態様として、多相交流によって進行波磁界を生じる固定子積層鉄心内において、突極型磁路を有する回転子積層鉄心が上記進行波磁界に同期して回転する原理のモータ、すなわちリラクタンスモータ(特にシンクロナスリラクタンスモータ)の提供が為されている(例えば、特許文献１参照)。
【０００３】
図１３および図１４に示す如く、リラクタンスモータにおける回転子積層鉄心(リラクタンスモータ用回転子積層鉄心)Ａは、所定枚数の鉄心片(回転子鉄心片)Ｐ、Ｐ…を積層し、これら鉄心片Ｐ、Ｐ…を一体化することによって構成されており、中央には回転軸孔Ｏが開口しているとともに、上記回転軸孔Ｏの周囲には、多数の円弧状スリットＳ、Ｓ…が形成されている。
【０００４】
ここで、上記回転子積層鉄心Ａにおいては、磁気的な突極方向の磁路と非突極方向の磁路とを形成するため、各々の鉄心片Ｐ、Ｐ…に、回転軸孔Ｏ側を凸とした複数の円弧状スリットＳ、Ｓ…が同心状に形成されており、これら同心状に形成された円弧状スリットＳ、Ｓ…のグループは、上記回転軸孔Ｏの周囲に間隔をおいて複数組形成されている。
【０００５】
これにより、円弧状スリットＳ、Ｓ…の延設方向に沿って、磁束の流れ易い突極方向(ｄ−ｄ軸)の磁路が形成されるとともに、円弧状スリットＳ、Ｓ…の並設方向に沿って、磁束が流れ難い非突極方向(ｑ−ｑ軸)の磁路が形成され、上記回転子積層鉄心Ａは、突極方向と非突極方向とのインダクタンスの差に基づいて生じるリラクタンストルクにより回転することとなる。
【０００６】
また、上記回転子積層鉄心Ａにおいては、同心状に形成された円弧状スリットＳ、Ｓ…に、各々補助ブリッジｂを形成することによって、回転に伴う遠心力に抗して高速回転に耐えられるよう構成したものがある。
【特許文献１】特開２００１−２５８２２２号公報
【発明の開示】
【発明が解決しようとする課題】
【０００７】
ところで、上述した構成の回転子積層鉄心Ａによれば、円弧状スリットＳ、Ｓ…に各々補助ブリッジｂ、ｂ…を形成したことで、上記回転子積層鉄心Ａは高速回転に適応した強度を獲得し得るものの、上記補助ブリッジｂ、ｂ…が非突極方向(ｑ−ｑ軸)に沿って形成されるため、これら補助ブリッジｂ、ｂ…を流れることで磁束が漏洩することにより、モータ特性の大幅な低下を招いてしまう不都合があった。
【０００８】
本発明は、上述した実状に鑑みて、磁束の漏洩が抑えられることによりモータ特性に優れ、併せて機械的強度が高く高速回転に十分適用し得る、リラクタンスモータ用回転子積層鉄心の提供を目的とするものである。
【課題を解決するための手段】
【０００９】
上記目的を達成するべく、請求項１の発明に関わるリラクタンスモータ用回転子積層鉄心は、回転軸孔側を凸とした複数の円弧状スリットを同心状に形成するとともに、複数の円弧状スリットを回転軸孔の周囲に間隔をおいて形成した鉄心片を積層して成り、円弧状スリットの延設方向に沿って磁束が流れ易い突極方向と、円弧状スリットの並設方向に沿って磁束が流れ難い非突極方向とのインダクタンスの差に基づいて生じるリラクタンストルクにより回転するリラクタンスモータ用回転子積層鉄心において、鉄心片に円弧状スリットを分断するリブを形成するとともに該リブにカシメ部を形成し、鉄心片をカシメ積層して成ることを特徴としている。
【００１０】
請求項２の発明に関わるリラクタンスモータ用回転子積層鉄心は、請求項１の発明に関わるリラクタンスモータ用回転子積層鉄心において、円弧状スリットを分断するリブを、同心状に形成された複数の円弧状スリットのうち、回転軸孔に寄った円弧状スリットを分断して形成したことを特徴としている。
【００１１】
請求項３の発明に関わるリラクタンスモータ用回転子積層鉄心は、請求項２の発明に関わるリラクタンスモータ用回転子積層鉄心において、円弧状スリットを分断するリブを、同心状に形成された複数の円弧状スリットのうち、回転軸孔に寄った円弧状スリットの複数箇所を分断して形成したことを特徴としている。
【００１２】
請求項４の発明に関わるリラクタンスモータ用回転子積層鉄心は、回転軸孔側を凸とした複数の円弧状スリットを同心状に形成するとともに、前記複数の円弧状スリットを前記回転軸孔の周囲に間隔をおいて形成した鉄心片を積層して成り、前記円弧状スリットの延設方向に沿って磁束が流れ易い突極方向と、前記円弧状スリットの並設方向に沿って磁束が流れ難い非突極方向とのインダクタンスの差に基づいて生じるリラクタンストルクにより回転するリラクタンスモータ用回転子積層鉄心において、鉄心片に円弧状スリットを分断するリブを形成するとともに該リブに連結孔を形成し、非磁性体から成る連結体を連結孔に挿入または注入して、積層された鉄心片を一体化して成ることを特徴としている。
【００１３】
請求項５の発明に関わるリラクタンスモータ用回転子積層鉄心は、請求項４の発明に関わるリラクタンスモータ用回転子積層鉄心において、円弧状スリットを分断するリブを、同心状に形成された複数の円弧状スリットのうち、回転軸孔に寄った円弧状スリットを分断して形成したことを特徴としている。
【００１４】
請求項６の発明に関わるリラクタンスモータ用回転子積層鉄心は、請求項５の発明に関わるリラクタンスモータ用回転子積層鉄心において、円弧状スリットを分断するリブを、同心状に形成された複数の円弧状スリットのうち、回転軸孔に寄った円弧状スリットの複数箇所を分断して形成したことを特徴としている。
【発明の効果】
【００１５】
請求項１の発明に関わるリラクタンスモータ用回転子積層鉄心では、円弧状スリットを分断するリブにカシメ部を形成したことで、上記リブにおける実質的な断面積が可及的に小さくなるため、上記リブを流れて漏洩する磁束が少なくなり、もってモータ特性の大幅な向上を図ることができる。
【００１６】
また、請求項１の発明に関わるリラクタンスモータ用回転子積層鉄心では、鉄心片に円弧状スリットを分断するリブを形成していることで、回転に伴う遠心力に抗して高速回転に適応した強度を獲得し得るとともに、リブに形成したカシメ部を介して鉄心片をカシメ積層していることで、積層された鉄心片を強固に一体化することが可能となる。
【００１７】
よって、請求項１の発明に関わるリラクタンスモータ用回転子積層鉄心によれば、磁束の漏洩が抑えられることによりモータ特性に優れ、併せて機械的強度が高く高速回転に十分適用し得る、リラクタンスモータ用回転子積層鉄心を提供することができる。
【００１８】
請求項２の発明に関わるリラクタンスモータ用回転子積層鉄心では、同心状に形成された複数の円弧状スリットのうち、回転軸孔に寄った円弧状スリットを分断する位置態様でリブを形成したことにより、言い換えれば、同心状に形成された全ての円弧状スリットを分断するリブを形成した構成よりも、突極方向に沿って漏洩する磁束を可及的に抑制することが可能となる。
【００１９】
請求項３の発明に関わるリラクタンスモータ用回転子積層鉄心では、同心状に形成された複数の円弧状スリットのうち、回転軸孔に寄った円弧状スリットの複数箇所を分断する位置態様でリブを形成したことにより、言い換えれば、同心状に形成された全ての円弧状スリットを分断するリブを形成した構成よりも、突極方向に沿って漏洩する磁束を可及的に抑制することが可能となる。
【００２０】
請求項４の発明に関わるリラクタンスモータ用回転子積層鉄心では、円弧状スリットを分断するリブに、連結体が挿入または注入される連結孔を形成したことで、上記リブにおける実質的な断面積が可及的に小さくなるため、上記リブを流れて漏洩する磁束が少なくなり、もってモータ特性の大幅な向上を図ることができる。
【００２１】
また、請求項４の発明に関わるリラクタンスモータ用回転子積層鉄心では、鉄心片に円弧状スリットを分断するリブを形成していることで、回転に伴う遠心力に抗して高速回転に適応した強度を獲得し得るとともに、リブに形成した連結孔に連結体を挿入または注入して鉄心片を一体化していることで、積層された鉄心片を強固に一体化することが可能となる。
【００２２】
よって、請求項４の発明に関わるリラクタンスモータ用回転子積層鉄心によれば、磁束の漏洩が抑えられることによりモータ特性に優れ、併せて機械的強度が高く高速回転に十分適用し得る、リラクタンスモータ用回転子積層鉄心を提供することができる。
【００２３】
請求項５の発明に関わるリラクタンスモータ用回転子積層鉄心では、同心状に形成された複数の円弧状スリットのうち、回転軸孔に寄った円弧状スリットを分断する位置態様でリブを形成したことにより、言い換えれば、同心状に形成された全ての円弧状スリットを分断するリブを形成した構成よりも、突極方向に沿って漏洩する磁束を可及的に抑制することが可能となる。
【００２４】
請求項６の発明に関わるリラクタンスモータ用回転子積層鉄心では、同心状に形成された複数の円弧状スリットのうち、回転軸孔に寄った円弧状スリットの複数箇所を分断する位置態様でリブを形成したことにより、言い換えれば、同心状に形成された全ての円弧状スリットを分断するリブを形成した構成よりも、突極方向に沿って漏洩する磁束を可及的に抑制することが可能となる。
【発明を実施するための最良の形態】
【００２５】
以下、実施例を示す図面に基づいて、本発明を詳細に説明する。  
図１〜図３は、本発明に関わるリラクタンスモータ用回転子積層鉄心の第１の実施例を示しており、この回転子積層鉄心(リラクタンスモータ用回転子積層鉄心)１０は、所定枚数の鉄心片(回転子鉄心片)１１、１１…を積層し、これら鉄心片１１、１１…を、後述するカシメ部(１１ｃ)により一体化して構成され、その中央部には回転軸孔１０ｏが開口している。
【００２６】
また、上記回転子積層鉄心１０では、磁気的な突極方向の磁路と非突極方向の磁路とを形成するべく、各々の鉄心片１１、１１…に、回転軸孔１１ａ側を凸とした複数の円弧状スリット１１ｓ、１１ｓ…が同心状に形成されており、これら同心状に形成された円弧状スリット１１ｓ、１１ｓ…のグループは、上記回転軸孔１１ａの周囲に間隔をおいて複数組、実施例においては４組のグループが形成されている。なお、上記円弧状スリット１１ｓは、実施例に示した曲線による円弧状の形態のみならず、例えば複数の短い直線を連続させて成る円弧状であっても良いことは言うまでもない。
【００２７】
上記構成により、円弧状スリット１１ｓ、１１ｓ…の延設方向に沿って、磁束の流れ易い突極方向(ｄ−ｄ軸)の磁路が形成され、また円弧状スリット１１ｓ、１１ｓ…の並設方向に沿って、磁束が流れ難い非突極方向(ｑ−ｑ軸)の磁路が形成され、かくして上記回転子積層鉄心１０は、突極方向と非突極方向とのインダクタンスの差に基づいて生じるリラクタンストルクにより回転することとなる。
【００２８】
また、上記回転子積層鉄心１０においては、鉄心片１１において同心状に形成された全ての円弧状スリット１１ｓ、１１ｓ…に、各々の円弧状スリット１１ｓを分断するリブ１１ｂ、１１ｂ…が形成されており、これらリブ１１ｂ、１１ｂ…は、鉄心片１１の略径方向に沿った直線上に配列形成されている。
【００２９】
さらに、上記円弧状スリット１１ｓ、１１ｓ…を分断する全てのリブ１１ｂ、１１ｂ…には、各々カシメ部１１ｃ、１１ｃ…が形成されており、これらカシメ部１１ｃ、１１ｃ…は、図３に示す如く順次嵌合することによって、鉄心片１１、１１…をカシメ積層して一体化している。
【００３０】
上述した如き構成の回転子積層鉄心１０では、円弧状スリット１１ｓを分断するリブ１１ｂにカシメ部１１ｃを形成したことで、上記リブ１１ｂにおける実質的な断面積が可及的に小さくなり、上記リブ１１ｂを流れて漏洩する磁束が減少するため、モータ特性の大幅な向上を図ることが可能となる。
【００３１】
また、上述した用回転子積層鉄心１０では、鉄心片１１に円弧状スリット１１ｓを分断するリブ１１ｂを形成したことで、該リブ１１ｂが鉄心片１１の補強部材として機能することにより、回転に伴う遠心力に抗して高速回転に適応した強度を得ることが可能となる。
【００３２】
さらに、上述した回転子積層鉄心１０では、円弧状スリット１１ｓを分断するリブ１１ｂにカシメ部１１ｃを形成したことで、該カシメ部１１ｃにより鉄心片１１、１１…をカシメ積層して強固に一体化することが可能となる。
【００３３】
かくして、上述した如き構成の回転子積層鉄心１０は、磁束の漏洩が抑えられることによりモータ特性に優れ、併せて機械的強度が高く高速回転に十分適用し得るものとなる。
【００３４】
図４は、本発明に関わるリラクタンスモータ用回転子積層鉄心の第２の実施例を示しており、この回転子積層鉄心２０を構成する鉄心片２１、２１…には、回転軸孔２１ａの周囲において同心状に形成された全ての円弧状スリット２１ｓ、２１ｓ…に、各々の円弧状スリット２１ｓを分断するリブ２１ｂ、２１ｂ…が形成され、これらリブ２１ｂ、２１ｂ…の内の幾つかに、間隔を開けてカシメ部２１ｃ、２１ｃ…が形成されている。
【００３５】
上述した如き構成の回転子積層鉄心２０も、図１〜図３に示した回転子積層鉄心１０と同様の理由に基づいて、磁束の漏洩が抑えられることによりモータ特性に優れ、併せて機械的強度が高く高速回転に十分適用し得るものとなる。
【００３６】
図５は、本発明に関わるリラクタンスモータ用回転子積層鉄心の第３の実施例を示しており、この回転子積層鉄心３０を構成する鉄心片３１、３１…には、同心状に形成された円弧状スリット３１ｓ、３１ｓ…のうち、回転軸孔３１ａに寄った複数(実施例においては７本)の円弧状スリット３１ｓ、３１ｓ…に、該円弧状スリット３１ｓを分断するリブ３１ｂ、３１ｂ…が形成されており、これらリブ３１ｂ、３１ｂ…は、鉄心片３１の略径方向に沿った直線上に配列形成され、全てのリブ３１ｂ、３１ｂ…には、各々カシメ部３１ｃ、３１ｃ…が形成されている。
【００３７】
上述した如き構成の回転子積層鉄心３０も、図１〜図３に示した回転子積層鉄心１０と同様の理由に基づいて、磁束の漏洩が抑えられることによりモータ特性に優れ、併せて機械的強度が高く高速回転に十分適用し得るものとなる。
【００３８】
また、上記回転子積層鉄心３０によれば、同心状に形成された全ての円弧状スリット３１ｓ、３１ｓ…を分断するリブを形成した構成よりも、突極方向に沿って漏洩する磁束を可及的に抑制することができ、更なるモータ特性の向上を図ることが可能となる。
【００３９】
さらに、上記回転子積層鉄心３０によれば、複数の円弧状スリット３１ｓ、３１ｓ…を分断するリブ３１ｂ、３１ｂ…が、回転軸孔３１ａに近接した部分に形成されているため、回転子積層鉄心３０の回転時における捩れを、上記リブ３１ｂ、３１ｂ…によって効果的に抑えることができる。
【００４０】
図６は、本発明に関わるリラクタンスモータ用回転子積層鉄心の第４の実施例を示しており、この回転子積層鉄心４０を構成する鉄心片４１、４１…には、同心状に形成された円弧状スリット４１ｓ、４１ｓ…のうち、回転軸孔４１ａに寄った複数(実施例においては７本)の円弧状スリット４１ｓ、４１ｓ…に、該円弧状スリット４１ｓの複数箇所を分断するリブ４１ｂ、４１ｂ…が形成されており、これらリブ４１ｂ、４１ｂ…は、鉄心片４１の略径方向に沿った２本の直線上に配列形成され、全てのリブ４１ｂ、４１ｂ…には、各々カシメ部４１ｃ、４１ｃ…が形成されている。
【００４１】
上述した如き構成の回転子積層鉄心４０も、図１〜図３に示した回転子積層鉄心１０と同様の理由に基づいて、磁束の漏洩が抑えられることによりモータ特性に優れ、併せて機械的強度が高く高速回転に十分適用し得るものとなる。
【００４２】
また、上記回転子積層鉄心４０によれば、同心状に形成された全ての円弧状スリット４１ｓ、４１ｓ…を分断するリブを形成した構成よりも、突極方向に沿って漏洩する磁束を可及的に抑制することができ、更なるモータ特性の向上を図ることが可能となる。
【００４３】
さらに、上記回転子積層鉄心４０によれば、複数の円弧状スリット４１ｓ、４１ｓ…を分断するリブ４１ｂ、４１ｂ…が、回転軸孔４１ａに近接した部分に形成されているため、回転子積層鉄心４０の回転時における捩れを、上記リブ４１ｂ、４１ｂ…によって効果的に抑えることができる。
【００４４】
図７〜図９は、本発明に関わるリラクタンスモータ用回転子積層鉄心の第５の実施例を示しており、この回転子積層鉄心(リラクタンスモータ用回転子積層鉄心)５０は、所定枚数の鉄心片(回転子鉄心片)５１、５１…を積層し、これら鉄心片５１、５１…を、後述する連結体(５２)により一体化して構成され、その中央部には回転軸孔５０ｏが開口している。
【００４５】
また、上記回転子積層鉄心５０では、磁気的な突極方向の磁路と非突極方向の磁路とを形成するべく、各々の鉄心片５１、５１…に、回転軸孔５１ａ側を凸とした複数の円弧状スリット５１ｓ、５１ｓ…が同心状に形成されており、これら同心状に形成された円弧状スリット５１ｓ、５１ｓ…のグループは、上記回転軸孔１１ａの周囲に間隔をおいて複数組、実施例においては４組のグループが形成されている。なお、上記円弧状スリット５１ｓは、実施例に示した曲線による円弧状の形態のみならず、例えば複数の短い直線を連続させて成る円弧状であっても良いことは言うまでもない。
【００４６】
上記構成により、円弧状スリット５１ｓ、５１ｓ…の延設方向に沿って、磁束の流れ易い突極方向(ｄ−ｄ軸)の磁路が形成され、また円弧状スリット５１ｓ、５１ｓ…の並設方向に沿って、磁束が流れ難い非突極方向(ｑ−ｑ軸)の磁路が形成され、かくして上記回転子積層鉄心５０は、突極方向と非突極方向とのインダクタンスの差に基づいて生じるリラクタンストルクにより回転することとなる。
【００４７】
また、上記回転子積層鉄心５０においては、鉄心片５１において同心状に形成された全ての円弧状スリット５１ｓ、５１ｓ…に、各々の円弧状スリット５１ｓを分断するリブ５１ｂ、５１ｂ…が形成されており、これらリブ５１ｂ、５１ｂ…は、鉄心片５１の略径方向に沿った直線上に配列形成されている。
【００４８】
さらに、上記円弧状スリット５１ｓ、５１ｓ…を分断する全てのリブ５１ｂ、５１ｂ…には、各々連結孔５１ｏ、５１ｏ…が形成されており、これら連結孔５１ｏ、５１ｏ…に対して、図９に示す如き非磁性体、例えば樹脂材料、アルミニューム、または非磁性ステンレス等から成る棒状の連結体５２を挿入嵌合することで、鉄心片５１、５１…は一体化されている。  
因みに、上記連結体５２、５２…は、溶融した非磁性体を連結孔５１ｏ、５１ｏ…に注入したのち固化させた部材であっても良い。
【００４９】
上述した如き構成の回転子積層鉄心５０では、円弧状スリット５１ｓを分断するリブ５１ｂに連結孔５１ｏを形成したことで、上記リブ５１ｂにおける実質的な断面積が可及的に小さくなり、上記リブ５１ｂを流れて漏洩する磁束が減少するため、モータ特性の大幅な向上を図ることが可能となる。
【００５０】
また、上述した用回転子積層鉄心５０では、鉄心片５１に円弧状スリット５１ｓを分断するリブ５１ｂを形成したことで、該リブ５１ｂが鉄心片５１の補強部材として機能することにより、回転に伴う遠心力に抗して高速回転に適応した強度を得ることが可能となる。
【００５１】
さらに、上述した回転子積層鉄心５０では、円弧状スリット５１ｓを分断するリブ５１ｂに連結孔５１ｏを形成したことで、該連結孔５１ｏに連結体５２を挿入嵌合または注入固化させることにより、積層した鉄心片５１、５１…を強固に一体化することが可能となる。
【００５２】
かくして、上述した如き構成の回転子積層鉄心５０は、磁束の漏洩が抑えられることによりモータ特性に優れ、併せて機械的強度が高く高速回転に十分適用し得るものとなる。
【００５３】
図１０は、本発明に関わるリラクタンスモータ用回転子積層鉄心の第６の実施例を示しており、この回転子積層鉄心６０を構成する鉄心片６１、６１…には、回転軸孔６１ａの周囲において同心状に形成された全ての円弧状スリット６１ｓ、６１ｓ…に、各々の円弧状スリット６１ｓを分断するリブ６１ｂ、６１ｂ…が形成されている。
【００５４】
これらリブ６１ｂ、６１ｂ…の内の幾つかに、間隔を開けて連結孔６１ｏ、６１ｏ…が形成されており、これら連結孔６１ｏ、６１ｏ…には、非磁性体から成る連結体６２、６２…が挿入嵌合または注入固化されている。
【００５５】
上述した如き構成の回転子積層鉄心６０も、図７〜図９に示した回転子積層鉄心５０と同様の理由に基づいて、磁束の漏洩が抑えられることによりモータ特性に優れ、併せて機械的強度が高く高速回転に十分適用し得るものとなる。
【００５６】
図１１は、本発明に関わるリラクタンスモータ用回転子積層鉄心の第７の実施例を示しており、この回転子積層鉄心７０を構成する鉄心片７１、７１…には、同心状に形成された円弧状スリット７１ｓ、７１ｓ…のうち、回転軸孔７１ａに寄った複数(実施例においては７本)の円弧状スリット７１ｓ、７１ｓ…に、該円弧状スリット７１ｓを分断するリブ７１ｂ、７１ｂ…が形成されている。
【００５７】
これらリブ７１ｂ、７１ｂ…は、鉄心片７１の略径方向に沿った直線上に配列形成され、全てのリブ７１ｂ、７１ｂ…には、各々連結孔７１ｏ、７１ｏ…が形成されており、これら連結孔７１ｏ、７１ｏ…には、非磁性体から成る連結体７２、７２…が挿入嵌合または注入固化されている。
【００５８】
上述した如き構成の回転子積層鉄心７０も、図７〜図９に示した回転子積層鉄心５０と同様の理由に基づいて、磁束の漏洩が抑えられることによりモータ特性に優れ、併せて機械的強度が高く高速回転に十分適用し得るものとなる。
【００５９】
また、上記回転子積層鉄心７０によれば、同心状に形成された全ての円弧状スリット７１ｓ、７１ｓ…を分断するリブを形成した構成よりも、突極方向に沿って漏洩する磁束を可及的に抑制することができ、更なるモータ特性の向上を図ることが可能となる。
【００６０】
さらに、上記回転子積層鉄心７０によれば、複数の円弧状スリット７１ｓ、７１ｓ…を分断するリブ７１ｂ、７１ｂ…が、回転軸孔７１ａに近接した部分に形成されているため、回転子積層鉄心７０の回転時における捩れを、上記リブ７１ｂ、７１ｂ…によって効果的に抑えることができる。
【００６１】
図１２は、本発明に関わるリラクタンスモータ用回転子積層鉄心の第８の実施例を示しており、この回転子積層鉄心８０を構成する鉄心片８１、８１…には、同心状に形成された円弧状スリット８１ｓ、８１ｓ…のうち、回転軸孔８１ａに寄った複数(実施例においては７本)の円弧状スリット８１ｓ、８１ｓ…に、該円弧状スリット８１ｓの複数箇所を分断するリブ８１ｂ、８１ｂ…が形成されている。
【００６２】
これらリブ８１ｂ、８１ｂ…は、鉄心片８１の略径方向に沿った２本の直線上に配列形成され、全てのリブ８１ｂ、８１ｂ…には、各々連結孔８１ｏ、８１ｏ…が形成されており、これら連結孔８１ｏ、８１ｏ…には、非磁性体から成る連結体８２、８２…が挿入嵌合または注入固化されている。
【００６３】
上述した如き構成の回転子積層鉄心８０も、図７〜図９に示した回転子積層鉄心５０と同様の理由に基づいて、磁束の漏洩が抑えられることによりモータ特性に優れ、併せて機械的強度が高く高速回転に十分適用し得るものとなる。
【００６４】
また、上記回転子積層鉄心８０によれば、同心状に形成された全ての円弧状スリット８１ｓ、８１ｓ…を分断するリブを形成した構成よりも、突極方向に沿って漏洩する磁束を可及的に抑制することができ、更なるモータ特性の向上を図ることが可能となる。
【００６５】
さらに、上記回転子積層鉄心８０によれば、複数の円弧状スリット８１ｓ、８１ｓ…を分断するリブ８１ｂ、８１ｂ…が、回転軸孔８１ａに近接した部分に形成されているため、回転子積層鉄心８０の回転時における捩れを、上記リブ８１ｂ、８１ｂ…によって効果的に抑えることができる。
【図面の簡単な説明】
【００６６】
【図１】(ａ)および(ｂ)は、本発明に関わるリラクタンスモータ用回転子積層鉄心の第１の実施例を示す外観平面図および外観側面図。
【図２】図１に示したリラクタンスモータ用回転子積層鉄心における鉄心片の要部平面図。
【図３】図２中の III−III 線断面図。
【図４】本発明に関わるリラクタンスモータ用回転子積層鉄心の第２の実施例を示す鉄心片の要部平面図。
【図５】本発明に関わるリラクタンスモータ用回転子積層鉄心の第３の実施例を示す鉄心片の要部平面図。
【図６】本発明に関わるリラクタンスモータ用回転子積層鉄心の第４の実施例を示す鉄心片の要部平面図。
【図７】(ａ)および(ｂ)は、本発明に関わるリラクタンスモータ用回転子積層鉄心の第５の実施例を示す外観平面図および外観側面図。
【図８】図７に示したリラクタンスモータ用回転子積層鉄心における鉄心片の要部平面図。
【図９】図８中の IX−IX 線断面図。
【図１０】本発明に関わるリラクタンスモータ用回転子積層鉄心の第６の実施例を示す鉄心片の要部平面図。
【図１１】本発明に関わるリラクタンスモータ用回転子積層鉄心の第７の実施例を示す鉄心片の要部平面図。
【図１２】本発明に関わるリラクタンスモータ用回転子積層鉄心の第８の実施例を示す鉄心片の要部平面図。
【図１３】(ａ)および(ｂ)は、従来のリラクタンスモータ用回転子積層鉄心の外観平面図および外観側面図。
【図１４】従来のリラクタンスモータ用回転子積層鉄心における鉄心片の要部平面図。
【符号の説明】
【００６７】
１０、２０、３０、４０…リラクタンスモータ用回転子積層鉄心、
１１、２１、３１、４１…鉄心片、
１１ａ、２１ａ、３１ａ、４１ａ…回転軸孔、
１１ｓ、２１ｓ、３１ｓ、４１ｓ…円弧状スリット、
１１ｂ、２１ｂ、３１ｂ、４１ｂ…リブ、
１１ｃ、２１ｃ、３１ｃ、４１ｃ…カシメ部、
５０、６０、７０、８０…リラクタンスモータ用回転子積層鉄心、
５１、６１、７１、８１…鉄心片、
５１ａ、６１ａ、７１ａ、８１ａ…回転軸孔、
５１ｓ、６１ｓ、７１ｓ、８１ｓ…円弧状スリット、
５１ｂ、６１ｂ、７１ｂ、８１ｂ…リブ、
５１ｏ、６１ｏ、７１ｏ、８１ｏ…連結孔、
５２、６２、７２、８２…連結体。
【図１】
2009011118.tif 000003
【図２】
2009011118.tif 000004
【図３】
2009011118.tif 000005
【図４】
2009011118.tif 000006
【図５】
2009011118.tif 000007
【図６】
2009011118.tif 000008
【図７】
2009011118.tif 000009
【図８】
2009011118.tif 000010
【図９】
2009011118.tif 000011
【図１０】
2009011118.tif 000012
【図１１】
2009011118.tif 000013
【図１２】
2009011118.tif 000014
【図１３】
2009011118.tif 000015
【図１４】
2009011118.tif 000016